(57)【要約】      （修正有）【課題】点滅発光や音声報知で警報を発することができ、充電やバッテリ交換の必要がなく一体化して取り扱いが容易であって、雨水に対して防水性が高い構造とした有用性の高い自転車用警報器を提供する。【解決手段】スピーカ１２、マイク部１４、録音部、録音スイッチ１８、音声報知スイッチ２２、ボリューム２６、発光部、発光スイッチ、録音、音声、発光制御部２０，３２、太陽電池３４、および電源部３６を筐体３８内に一体に設ける。筐体３８には、その下部に自転車ハンドルに取り付け用の取付け部を設け、上部に太陽電池を露光可能に配置し、前部に発光部を点滅発光可能に設け、後部に音声報知スイッチ２２および発光スイッチを設けて、筐体底面部に水切り用の溝または壁を形成した。【選択図】図６
0003161776.tif 000002
【実用新案登録請求の範囲】
【請求項１】
自転車に取り付けて、スピーカから音声を発する自転車用警報器であって、
使用者の音声を入力するマイク部と、
入力された音声および予め設定された音声を格納する録音部と、
録音スイッチと、
録音スイッチへの操作に基づき前記録音部に音声を格納する録音制御部と、
音声報知スイッチと、
音声報知スイッチへの操作に基づき前記格納された音声または予め設定された音声をスピーカから発する音声報知制御部と、
光を発する発光部と
発光スイッチと、
発光スイッチへの操作に基づき発光部から点滅発光する発光制御部と、
太陽光等の光を受けて電力を発生する太陽電池と、
前記太陽電池が発生した電力を充電池に蓄えると共に、録音部、音声報知制御部、および発光制御部等の各部に駆動用動電力を供給する電源部とを自転車用警報器の外壁を構成する筐体内に一体に設け、
前記筐体には、自転車のハンドル等の構造部材に取り付けるための取付け部を設け、それと共に、前記筐体の上部に太陽電池が露光可能に配置し、前部に前記発光部を点滅発光可能に設け、後部に前記音声報知スイッチおよび発光スイッチを設け、下部には音声を発するスピーカおよび下方から操作可能に録音スイッチを設け、
前記筐体が日常防水機能を有し、かつ、前記筐体底面部に水切り用の溝または壁を形成したことを特徴とする自転車用警報器。
【請求項２】
前記筐体は、樹脂材からなり、発光部は発光ダイオードが点滅発光するものであることを特徴とする請求項１に記載の自転車用警報器。
【請求項３】
前記スピーカから発する音声の大小を調整するためのボリュームを設け、前記ボリュームは、本体を筐体内に設けたスライドボリューム器であり、そのスライドボリューム器の操作部が筐体の底面側から突出していることを特徴とする請求項１または２に記載の自転車用警報器。
【請求項４】
録音スイッチは、筐体の下部に設けた孔を通して筐体内部にスイッチボタンを設けたことを特徴とする請求項１から３のうちの１項に記載の自転車用警報器。
【考案の詳細な説明】
【技術分野】
【０００１】
本考案は、光や音声で警報を発することができ、かつ、充電の必要がない自転車用警報器に関する。
【背景技術】
【０００２】
従来、自転車では、路上走行していることを付近の歩行者に知らせて安全な走行を確保が望まれる。
【０００３】
そこで、従来より各種の警報装置が自転車に設けられている。
【０００４】
例えば、特開２００３−２５２２６７号では、自転車の接近を知らせる風鈴式自転車鈴が開示されている（特許文献１）。この自転車鈴は、自転車のハンドルに小さな風鈴を付け、ハンドルの動きや自転車の揺れで、バネ先に付けた金属板が共鳴管に当たって音を鳴らすことで歩行者に自転車の接近を知らせるようにしたものである。従来から使用されている突然の音と警報を発せられて不快な印象を歩行者に与えることを防止しようとするものである。
【０００５】
また、実用新案登録第３０７１８７１号では、音声発生装置とスピーカを内蔵した自転車ベルが開示されている（特許文献２）。この自転車ベルは、ハンドルの手元に取り付けたリモコンスイッチによって通行人に音声や警告音を発するものであって、ベルの使用頻度を増やす等して、混雑時等における自転車と人との接触を無くそうとするものである。
【０００６】
また、実用新案登録第３１５６９８８号では、自転車用前照灯を容易に着脱可能とすると同時に、簡単に盗まれないようにする防犯ブザー付き自転車用前照灯が開示されている（特許文献３）。この自転車用前照灯は、自転車の所有者でない者が自転車のハンドルから前照灯を外そうとすると、大音量発生装置が作動して盗難を防止するようにしている。自転車の所有者は、その装置の作動を解除できるものとしている。
【０００７】
しかしながら、いずれの従来技術も、ランプの点灯や警報音の発するためには、発電機（ダイナモ）の使用やバッテリの交換などの手間や備品が必要になり、自転車に装着する装置としては構成が複雑であり、面倒な配線が必要で、バッテリーの定期的な交換の必要があるなど、専門家ではない一般使用者層が手軽に装着したり取り扱ったりするには装備が複雑で、取り付けやバッテリの交換が面倒であるという問題点がある。
なお、自転車は屋外にて使用するものであるので、それに取り付ける警報器も防水性を発揮できるようにして電気系統の不具合を防止する考慮が必要である。
【先行技術文献】
【特許文献】
【０００８】
【特許文献１】特開２００３−２５２２６７号公報
【特許文献２】実用新案登録第３０７１８７１号公報
【特許文献１】実用新案登録第３１５６９８８号公報
【考案の概要】
【考案が解決しようとする課題】
【０００９】
本考案は、上記した従来の実情に鑑み、点滅発光や音声報知で警報を発することができ、充電やバッテリ交換の必要がなく一体化して取り扱いが容易であって、雨水に対して防水性が高い構造とした有用性の高い自転車用警報器を提供しようとするものである。
【課題を解決するための手段】
【００１０】
本考案は自転車用警報器に係り、自転車に取り付けて、スピーカから音声を発する自転車用警報器であって、
使用者の音声を入力するマイク部と、
入力された音声および予め設定された音声を格納する録音部と、
録音スイッチと、
録音スイッチへの操作に基づき前記録音部に音声を格納する録音制御部と、
音声報知スイッチと、
音声報知スイッチへの操作に基づき前記格納された音声または予め設定された音声をスピーカから発する音声報知制御部と、
光を発する発光部と
発光スイッチと、
発光スイッチへの操作に基づき発光部から点滅発光する発光制御部と、
太陽光等の光を受けて電力を発生する太陽電池と、
前記太陽電池が発生した電力を充電池に蓄えると共に、録音部、音声報知制御部、および発光制御部等の各部に駆動用動電力を供給する電源部とを自転車用警報器の外壁を構成する筐体内に一体に設け、
前記筐体には、自転車のハンドル等の構造部材に取り付けるための取付け部を設け、それと共に、前記筐体の上部に太陽電池が露光可能に配置し、前部に前記発光部を点滅発光可能に設け、後部に前記音声報知スイッチおよび発光スイッチを設け、下部には音声を発するスピーカおよび下方から操作可能に録音スイッチを設け、
前記筐体が日常防水機能を有し、かつ、前記筐体底面部に水切り用の溝または壁を形成したことを特徴とする自転車用警報器である。
【００１１】
なお、本考案において、前記筐体は、樹脂材からなり、発光部は発光ダイオードが点滅発光するものであることが好適である。
【００１２】
また、前記スピーカから発する音声の大小を調整するためのボリュームを設け、前記ボリュームは、本体を筐体内に設けたスライドボリューム器であり、そのスライドボリューム器の操作部が筐体の底面側から突出していることが好適である。
【００１３】
また、録音スイッチは、筐体の下部に設けた孔を通して筐体内部にスイッチボタンを設けたことが好適である。
【００１４】
また、前記筐体の取り付け部は、自転車の棒状のハンドル部に巻き付けて固定するクランプ構造であることが好適である。
【考案の効果】
【００１５】
本考案の自転車用警報器によれば、録音部、録音制御部、音声報知制御部、および発光制御部等の各部に駆動用動電力を供給する電源部を自転車用警報器の外壁を構成する筐体内に一体に設け、前記筐体には、その下部、自転車のハンドル等の構造部材に取り付けるための取付け部を設けているので、一体構成で自転車に取り付けでき、かつ、太陽電池で発電電力で電池を充電できるため、取り付け時の配線作業や電池の交換等の面倒な作業がいらず、取り扱いが容易である。
【００１６】
また、前記筐体には、自転車のハンドル等の構造部材に取り付けるための取付け部を設け、それと共に、前記筐体の上部に太陽電池が露光可能に配置し、前部に前記発光部を点滅発光可能に設け、後部に前記音声報知スイッチおよび発光スイッチを設け、下部には音声を発するスピーカおよび下方から操作可能に録音スイッチを設けたので、録音スイッチを操作すれば使用者が自分の好みの声を録音でき、音声スイッチの操作によって、音声報知できる。もちろん必要に応じて発光スイッチの操作で発光部から点滅発光して他の自転車乗員や路上の歩行者に注意を促すことができる。
【００１７】
また、太陽電池を筐体上部に露光可能に設けているので、太陽光をロス無く受光して充分な発電ができる。
【００１８】
また、下部にスピーカや録音スイッチを設けている点から、降雨時にスピーカやスイッチへの水の浸入を確実に防止できる。
【００１９】
さらに、防水の点で、前記筐体が日常防水機能を有しているので、内部に雨水が浸入するのを防止できる。それと共に、前記筐体底面部に水切り用の溝または壁を形成したので、雨水が筐体にかかって筐体の底面側に回り込んでも、下部のスピーカや録音スイッチ周辺に雨水が回り込むことを防止でき、さらに防水性、耐水性を向上できるものである。したがって、内部電気系統への水分浸入による影響を確実に防止することができる。
【００２０】
また、筐体後部に音声報知スイッチおよび発光スイッチを設けたので、乗車時にも乗員が極めて操作がし易い。
【００２１】
なお、筐体を樹脂材として、成形の自由度を確保できる。また、発光部を発光ダイオードとしかつ照射ではなく点滅発光することによって一層電力消費を少なくできる。
【００２２】
また、前記スピーカから発する音声の大小を調整するためのボリュームを設け、前記ボリュームは、本体を筐体内に設けたスライドボリューム器であり、そのスライドボリューム器の操作部が筐体の底面側から突出していることにより、音声発生の大きさを操作できず、安全を確保できる。
【００２３】
また、録音スイッチは、筐体の下部に設けた孔を通して筐体内部にスイッチボタンを設けることができる。
【００２４】
なお、前記筐体の取り付け部は、自転車の棒状のハンドル部に巻き付けて固定する構造造であれは、強固に固定できる、外されて盗難やいたずらされるのを確実に防止できるという優れた効果を奏し得る。
【図面の簡単な説明】
【００２５】
【図１】本考案の実施形態に係る自転車用警報器を自転車のハンドル部に設けた状態の全体斜視図である。
【図２】前記自転車用警報器の後面図である。
【図３】前記自転車用警報器の下面図である。
【図４】前記自転車用警報器の側面図である。
【図５】前記自転車用警報器の発光部および太陽電池の説明図である。
【図６】前記自転車用警報器のスピーカ、マイク部、録音スイッチ、ボリューム、発光部の配置図である。
【図７】前記自転車用警報器のスピーカ、マイク部、録音スイッチ、ボリューム、発光部の回路ブロック図である。
【考案を実施するための形態】
【００２６】
以下、本考案の実施形態を添付した図面の図１〜図７を参照して説明する。
【００２７】
図１〜図７は、実施形態にかかる自転車用警報器の構成説明図である。
【００２８】
図１〜図７に示すように、自転車用警報器は、自転車のハンドル１０に取り付けて、スピーカ１２から警報音を発するものであって、使用者の音声を入力するマイク部１４と、入力された音声および予め設定された音声を格納する録音部１６と、録音スイッチ１８と、録音スイッチ１８への操作に基づき前記録音部１６に音声を格納する録音制御部２０と、音声報知スイッチ２２と、音声報知スイッチ２２への操作に基づき前記格納された音声または予め設定された音声をスピーカ１２から発する音声報知制御部２４と、スピーカ１２から発する音声の大小を調整するためのボリューム２６と、光を発する発光部２８と、発光スイッチ３０と、発光スイッチ３０への操作に基づき発光部２８から点滅発光する発光制御部３２と、太陽光等の光を受けて電力を発生する太陽電池３４と、前記太陽電池３４が発生した電力を充電池に蓄えると共に、録音部１６、音声報知制御部２４、および発光制御部３２等の各部に駆動用動電力を供給する電源部３６とを自転車用警報器の外壁を構成する筐体３８内に一体に設けている。
【００２９】
前記筐体３８には、その下部、自転車のハンドル１０に取り付けるための取付け部４０を設け（ハンドル以外の自転車の構造部材に取り付けることもできる）、前記筐体３８では、上部に太陽電池３４が露光可能に配置され、前部に前記発光部２８を点滅発光可能に設け、後部に前記音声報知スイッチ２２および発光スイッチ３０を設けている。
【００３０】
太陽電池３４は、３０ｍｍ×６００ｍｍのサイズであって、上面に雨や埃よけのカバー３４ａ（透明のＡＢＳ樹脂）が設けられている。図７に示すように、太陽電池３４の発電電力は電源部３６に導入され、その電源部３６から発光制御部３２、音声報知制御部２４、録音制御２０等の各制御部への制御電源、および、発光部２８、スピーカ１２等の各部駆動用電源として利用される。余剰電力はバッテリー４４の充電用となる。
【００３１】
発光部２８は、光源として黄色のＬＥＤランプ（５ｍｍ径が３個）２８ａが配設され、その前面に雨や埃よりのカバー２８ｂ（透明または半透明のＡＢＳ樹脂）が設けられている。
【００３２】
また、筐体３８下部の底部には、下方に向けて（前方でもよい）音声を発するようにスピーカ１２および下方から操作可能に録音スイッチ１８を設けたものである。
【００３３】
前記筐体３８は、樹脂材（例：艶黒仕上がりのポリプロピレンＰＰ）からなり、発光部２８は発光ダイオード（ＬＥＤランプ２８ａ）が発光するものである。筐体３８の前部に孔３８ａが形成されておりその内側に発光部２８が装着され、その発光部２８の前面を覆うようにカバー２８ｂが設けられている。
なお、カバー２８ｂは透明であることが好ましい。また、発光部はそれ自体防水性や耐候性があれば（例えば透明モールドで覆った耐候性のＬＥＤ）、このようにカバーを設けていなくてもよい。
【００３４】
また、前記ボリューム２６は、筐体３８内部に本体を設けたスライドボリューム器であって、そのスライドボリューム器の操作部２６ａが筐体３８の底面側から棒状に突出形成されている。その操作部２６ａの周囲には凹みが形成されている。
【００３５】
また、録音スイッチ１８は、筐体３８の下部に設けた孔３８ａを通して筐体３８内部にスイッチボタンを設けたものである。
【００３６】
また、マイク部１４は録音スイッチ１８の隣であって、筐体３８の底面部に設けた孔３８ｂを通して音声を拾うように形成されている。
【００３７】
また、スピーカ１２は筐体３８の底面部に円周状に配列して孔（スピーカ孔）３８ｃを形成してその孔３８ｃを通して、スピーカ１２音が外部に向けて放音する。スピーカからは、録音した使用者の音声の他、デフォルトで複数種類の音声（女性や子供の声）を放音することを選択できるようにしてもよい。
【００３８】
前記筐体３８が日常防水機能を有し、かつ、前記筐体３８の底面部にその周縁に沿いかつ、スピーカ１２、マイク部１４、録音スイッチ１８、およびボリューム２６を取り囲んで水切り用の溝４２（または水切り機能のある壁でよい）を形成している。
【００３９】
また、前記筐体３８の取り付け部４０は、自転車の棒状のハンドル１０に巻き付けて固定するクランプ構造である。具体的には、円環状のバンド４０ａの一部を切り欠いてあり、その切り欠いた部分の両側をネジ４０ｂによって綴り、バンド４０ａをハンドル１０に巻き付けた状態でネジを締め付けることによって、その切り欠いた部分同士の間隙をネジによって狭めて自転車のハンドル１０に強固に締め付け固定できるものである。
【００４０】
実施形態の自転車用警報器によれば、録音部１６、特音制御部２０、ボリューム２６、音声報知制御部２４、および発光制御部３２等の各部に駆動用動電力を供給する電源部３６を自転車用警報器の外壁を構成する筐体３８内に一体に設け、前記筐体３８には、その下部、自転車のハンドル１０等の構造部材に取り付けるための取付け部を設けているので、一体構成で自転車に取り付けでき、かつ、上部の太陽電池３４で発電電力で電池を充電できるため、取り付け時の配線作業や電池の交換等の面倒な作業がいらず、取り扱いが容易である。
【００４１】
また、前記筐体３８では、上部に太陽電池３４が露光可能に配置され、前部に前記発光部２８を前方へ向けて発光可能に設け、後部に前記音声報知スイッチ２２および発光スイッチ３０を設けている。発光スイッチ３０の操作によって、発光部２８を点滅各種に光放射できるので、夜等の暗い環境下でも必要に応じて発光スイッチ３０の操作で発光部２８から点滅発光して他の自転車乗員や路上の歩行者に注意を促すことができ、安全に自転車を走行させることができる。
【００４２】
また、筐体３８の下部には、下方に向けて（前方等各方向にできる）を音声を発するようにスピーカ１２および下方から操作可能に録音スイッチ１８を設けている。
したがって、録音スイッチ１８を操作によって使用者が自分の好みの声（例：「すいません、通ります。」）を録音でき、音声報知スイッチ２２の操作によって、その音声を再生できるので、機械的なベルの音よりも暖かさを感じることができ、路上にいる人に違和感や無理がなく注意を喚起でき、機械的なベルの音を発するよりも安全かつ優しい。
【００４３】
また、太陽電池（ソーラ電池）３４を筐体３８上部に設けているので、太陽光をロス無く受光して充分な発電ができる等、環境にも留意している。また、下部にスピーカ１２や録音スイッチ１８を設けているので、降雨時にスピーカ１２やスイッチへの水の浸入を確実に防止できる。もちろん前方に向いた発光部２８から必要に応じてスイッチ操作で前方に向けて光を照射することができる。
【００４４】
さらに、防水の点で、前記筐体３８が日常防水機能を有しているので、内部に雨水が浸入するのを防止できる。
それと共に、前記筐体３８底面部に水切り用の溝４２（または壁）を形成したので、雨水が筐体３９にかかって筐体３８の底面側に回り込んでも、下部のスピーカ１２や録音スイッチ１８周辺に雨水が回り込むことを防止でき、さらに防水性、耐水性を向上できるものである。したがって、内部電気系統への水分浸入による影響を確実に防止することができる。スピーカ１２、マイク部１４、録音スイッチ１８、およびボリューム２６を取り囲んでいるので、電気系統に雨水等の水分の浸入を確実に防ぐことができ、故障による音声や点滅発光による警報報知できなくなくことを確実に防止できる。
【００４５】
また、筐体３８後部に音声報知スイッチ２２および発光スイッチ３０を設けたので、乗車時にも乗員が極めて操作がし易い。
【００４６】
なお、筐体３８を樹脂材として、成形の自由度を確保できる。また、発光部２８を発光ダイオードとして発光による電力消費を少なくできる。
【００４７】
また、前記ボリューム２６は、筐体３８内にスライドボリューム器を設けて、そのスライドボリューム器の操作部２６ａが筐体３８の底面側から突出していれば、乗車時に操作ができず、安全を確保できる。
【００４８】
また、録音スイッチ１８は、筐体３８の下部に設けた孔を通して筐体３８内部にスイッチボタンを設けることができる。
【００４９】
また、前記筐体３８の取り付け部は、自転車の棒状のハンドル１０部に巻き付けて固定するクランプ構造にして、確実に固定できるようにして盗難を防止できる。
【産業上の利用可能性】
【００５０】
本考案の自転車用警報器は、着脱が容易で点滅発光や音声で警報を発することができ、かつ、充電の必要がないものであり、水分浸入も確実に防止できる警報器として利用することができる。
【符号の説明】
【００５１】
１０  ハンドル
１２  スピーカ
１４  マイク部
１６  録音部
１８  録音スイッチ
２０  録音制御部
２２  音声報知スイッチ
２４  音声報知制御部
２６  ボリューム
２６ａ  操作部
２８  発光部
３０  発光スイッチ
３２  発光制御部
３４  太陽電池
３４ａ  太陽電池のカバー
３６  電源部
３８  筐体
３８ａ  録音スイッチ用の孔
３８ｂ  マイク部用の孔
３８ｃ  スピーカ用の孔
４０  取り付け部
４０ａ  バンド
４０ｂ  ネジ
４２  水切り用の溝
４４  バッテリー
【図１】
0003161776.tif 000003
【図２】
0003161776.tif 000004
【図３】
0003161776.tif 000005
【図４】
0003161776.tif 000006
【図５】
0003161776.tif 000007
【図６】
0003161776.tif 000008
【図７】
0003161776.tif 000009
【手続補正書】
【提出日】平成22年6月7日(2010.6.7)
【手続補正１】
【補正対象書類名】実用新案登録請求の範囲
【補正対象項目名】全文
【補正方法】変更
【補正の内容】
【実用新案登録請求の範囲】
【請求項１】
自転車に取り付けて、スピーカから音声を発する自転車用警報器であって、
使用者の音声を入力するマイク部と、
入力された音声および予め設定された音声を格納する録音部と、
録音スイッチと、
録音スイッチへの操作に基づき前記録音部に音声を格納する録音制御部と、
音声報知スイッチと、
音声報知スイッチへの操作に基づき前記格納された音声または予め設定された音声をスピーカから発する音声報知制御部と、
光を発する発光部と
発光スイッチと、
発光スイッチへの操作に基づき発光部から点滅発光する発光制御部と、
太陽光等の光を受けて電力を発生する太陽電池と、
前記太陽電池が発生した電力を充電池に蓄えると共に、録音部、音声報知制御部、および発光制御部の各部に駆動用動電力を供給する電源部とを自転車用警報器の外壁を構成する筐体内に一体に設け、
前記筐体には、自転車のハンドル等の構造部材に取り付けるための取付け部を設け、それと共に、前記筐体の上部に太陽電池が露光可能に配置し、前部に前記発光部を点滅発光可能に設け、後部に前記音声報知スイッチおよび発光スイッチを設け、下部には音声を発するスピーカおよび下方から操作可能に録音スイッチを設け、
前記筐体が日常防水機能を有し、かつ、前記筐体底面部に水切り用の溝または壁を形成したことを特徴とする自転車用警報器。
【請求項２】
前記筐体は、樹脂材からなり、発光部は発光ダイオードが点滅発光するものであることを特徴とする請求項１に記載の自転車用警報器。
【請求項３】
前記スピーカから発する音声の大小を調整するためのボリュームを設け、前記ボリュームは、本体を筐体内に設けたスライドボリューム器であり、そのスライドボリューム器の操作部が筐体の底面側から突出していることを特徴とする請求項１または２に記載の自転車用警報器。
【請求項４】
録音スイッチは、筐体の下部に設けた孔を通して筐体内部にスイッチボタンを設けたことを特徴とする請求項１から３のうちの１項に記載の自転車用警報器。